(57)【要約】【課題】外部面への芳香剤の移行がほとんどなく、且つ、芳香シートからの芳香剤の発散が長時間にわたり充分に行われる、デザイン性と使用の多様性に優れた芳香シートを用いた芳香器を提供する。【解決手段】芳香シート２と、芳香シート２が抜き差し自在に挿入された矩形平箱状の容器３とを具備し、芳香シート２は、プラスチック板材よりなるトレイ４に支持された状態で容器３内に挿入され、容器３の上下左右の周壁１０の少なくとも一部には、芳香を発散可能な発散孔５が形成されている。【選択図】図４
0003166143.tif 000002
【実用新案登録請求の範囲】
【請求項１】
芳香シート（２）と、芳香シート（２）が抜き差し自在に挿入された矩形平箱状の容器（３）とを具備し、  容器（３）の上下左右の周壁１０（１０Ａ，１０Ｂ，１０Ｃ，１０Ｄ）の少なくとも一部には、芳香を発散可能な発散孔（５）が形成されていることを特徴とする芳香器。
【請求項２】
芳香シート（２）と、芳香シート（２）が抜き差し自在に挿入された矩形平箱状の容器（３）とを具備し、芳香シート（２）は、プラスチック板材よりなるトレイ（４）に支持された状態で容器（３）内に挿入され、容器（３）の上下左右の周壁１０（１０Ａ，１０Ｂ，１０Ｃ，１０Ｄ）の少なくとも一部には、芳香を発散可能な発散孔（５）が形成されていることを特徴とする芳香器。
【請求項３】
前記発散孔（５）は、前記周壁（１０）の長手方向に沿って、複数個間隔をおいて連続状に形成された多数の小孔により形成されていることを特徴とする請求項１又は２に記載の芳香器。
【請求項４】
前記芳香シート（５）は、中心孔を有するドーナツ円盤形であり、厚紙状の基材に芳香剤を含浸させた形状であることを特徴とする請求項１乃至３のいずれかに記載の芳香器。
【請求項５】
前記容器（３）は、収納部（６）を構成する底板（７）の一側縁に蓋部（８）を構成する上板（９）が、一側の周壁（１０）を介して連続して形成され、収納部（６）の底板（７）の上下縁には、上下の周壁（１０）を介して上下保持片（１１，１１）が連続して形成され、蓋部（８）の上板（９）の他側縁には他側の周壁（１０）を介して、係止片（１２）が連続して形成され、上下の周壁（１０）には、複数個間隔を置いて連続状に形成された小孔よりなる前記発散孔（５）が形成され、収納部（６）上に蓋部（８）が一側の周壁（１０）を介して折り返され、蓋部（８）は上下の周壁（１０）を介して内方に略コ形に折り返された上下保持片（１１，１１）の上面に重合し、係止片（１２）の係止部が収納部の底板に形成されたスリット状係止孔（１３）に係止されることにより、矩形平箱状とされたことを特徴とする請求項１乃至４のいずれかに記載の芳香器。
【請求項６】
前記容器（３）は、前記蓋部（８）を構成する前記上板（９）の上縁又は下縁に上板（９）と略同面積の接合板（１４）が連続して形成され、接合板（１４）は上板（９）の底面に折り返して接合されることを特徴とする請求項５に記載の芳香器。
【請求項７】
前記トレイ（４）は、前記容器（３）内に嵌合状に挿入される矩形板状をなし、その左右の縁には、内方に上向き略コ形に折り曲げ形成される折り曲げ片（１５，１５）が一体に形成され、その中央部には、切り起こし状に立ち上げ形成された押さえ片（１６）が一体に形成され、押さえ片（１６）は、前記芳香シート（２）に形成した中心孔（２ａ）に挿入されて折り曲げることにより、トレイ（４）の上面に芳香シート（２）を保持させるようにしたことを特徴とする請求項２乃至６に記載の芳香器。
【請求項８】
芳香シートと、芳香シートが抜き差し自在に挿入された矩形平箱状の容器とを具備し、  容器の壁面の少なくとも一部には、芳香を発散可能な多数の小孔よりなる発散孔が形成されていることを特徴とする芳香器。
【考案の詳細な説明】
【技術分野】
【０００１】
本考案は、主として自動車用の芳香器、特に、芳香シートを用いた芳香器に関する。本考案に係る芳香器は、室内やオフィスにおいても使用することができる。
【背景技術】
【０００２】
従来、一般に用いられる芳香シートを用いた自動車用の芳香器は、芳香シートに含まれる芳香剤が、自動車の内装面に移行し、内装面を変色、変質させる可能性があるために、設置場所に制約があり、多くは、バックミラーに吊り下げて使用されていた。
【０００３】
さらに、従来の上記自動車用の芳香器では、運転者の視界の邪魔にならないように、大きさや形状が制約され、表面のプリントについても反射しない表面状態とする必要があるなど、そのデザイン性にも限界があった。
【０００４】
また、従来、下記特許文献１に示される芳香器が提案されている。
特許文献１の芳香器ａは、図７（Ａ），（Ｂ）に示すように、芳香剤を含浸させた芳香シートｂを平板状容器ｃ内に一体に密封、密着するように設け、該容器ｃの表壁の少なくとも２箇所に、窓状の通気孔ｄをフラップｅにより開閉自在に設けた構造である。
【先行技術文献】
【特許文献】
【０００５】
【特許文献１】特開平７−２５０８８４号公報
【考案の概要】
【考案が解決しようとする課題】
【０００６】
しかしながら、上述した従来の特許文献１の芳香器ａでは、芳香を発散状態とさせるためのフラップｅの開放操作が面倒であり、開放状態においてフラップｅが容器ｃの表壁面に折り返し重合された場合には、芳香シートｂの表面の通気孔ｄが広く開口するため、通気孔ｄからの外部載置面への芳香剤の移行が避けられない。
さらに、芳香シートｂが平板状容器ｃ内に一体に密着するように設けられているために、芳香剤の発散が、通気孔ｄに対面する芳香シートｂの部分のみとなり、芳香シートｂの他の部分からの芳香剤の発散が困難であるなどの問題がある。
【０００７】
そこで本考案は、上記状況に鑑みてなされたものであり、芳香シートを用いた芳香器において、外部面への芳香剤の移行がほとんどなく、且つ、芳香シートからの芳香剤の発散が長時間にわたり充分に行われる、デザイン性と使用の多様性に優れた、芳香シートを用いた芳香器を提供することを目的としている。
【課題を解決するための手段】
【０００８】
次に、上記の課題を解決するための手段を、実施の形態に対応する図面を参照して説明する。
【０００９】
本考案に係る芳香器１は、図１乃至図５の第１の実施態様に示されるように、芳香シート２と、芳香シート２が抜き差し自在に余裕を持って挿入された矩形平箱状の容器３とを具備し、容器３の上下左右の周壁１０の少なくとも一部には、芳香を発散可能な発散孔５が形成されていることを特徴としている。
【００１０】
また、本考案に係る芳香器１は、図１乃至図５の第１の実施態様に示されるように、芳香シート２と、芳香シート２が抜き差し自在に挿入された矩形平箱状の容器３とを具備し、芳香シート２は、プラスチック板材よりなるトレイ４に支持された状態で容器３内に挿入され、容器３の上下左右の周壁１０の少なくとも一部には、芳香を発散可能な発散孔５が形成されていることを特徴としている。
【００１１】
前記発散孔５は、前記周壁１０の長手方向に沿って、複数個間隔をおいて連続状に形成された多数の小孔により形成されている。
【００１２】
前記芳香シート２は、中心孔２ａを有するドーナツ円盤形であり、厚紙状の基材に芳香剤を含浸させた形状である。
芳香シートは、上記ドーナツ円盤形の他、容器３の内形に沿った角形、あるいは、多角形状、その他の形状とすることができる。
【００１３】
前記容器３は、図５の展開図に示されるように、シート材の打ち抜きにより形成され、収納部６を構成する底板７の一側縁に蓋部８を構成する上板９が、一側の周壁１０（１０Ｃ）を介して連続して形成され、収納部６の底板７の上下縁には、上下の周壁１０（１０Ａ，１０Ｂ）を介して上下保持片１１，１１が連続して形成され、蓋部８の上板９の他側縁には他側の周壁１０（１０Ｄ）を介して、係止片１２が連続して形成され、上下の周壁１０（１０Ａ，１０Ｂ）には、複数個間隔を置いて連続状に形成された多数の小孔よりなる前記発散孔５が形成されている。収納部６上に蓋部８が一側の周壁１０（１０Ｃ）を介して折り返され、蓋部８は上下の周壁１０（１０Ａ，１０Ｂ）を介して内方に略コ形に折り返された上下保持片１１，１１の上面に重合し、係止片１２の係止部１２ａが収納部６の底板７に形成されたスリット状係止孔１３に係止されることにより、矩形平箱状とされている。
【００１４】
前記容器３は、前記蓋部８を構成する前記上板９の上縁又は下縁に上板９と略同面積の接合板１４が連続して形成され、接合板１４は上板９の底面に折り返して接合される。
このような接合板１４を形成するこにより、接合板１４の折り返し表面に、使用の説明書きなどの印刷を容易に施すことができる。また、接合板１４が蓋部８の上板９を補強し、構造的にも堅牢である。
【００１５】
前記トレイ４は、前記容器３内に嵌合状に挿入される矩形板状をなし、その左右の縁には、内方に上向き略コ形に折り曲げ形成される折り曲げ片１５，１５が一体に形成され、その中央部には、切り起こし状に立ち上げ形成された押さえ片１６が一体に形成され、押さえ片１６は、前記芳香シート２の前記中心孔２ａに挿入されて折り曲げることにより、トレイ４の上面に芳香シート２を保持させるようにしている。
このようなトレイ４を用いることにより、芳香シート２の容器３内への挿入保持が容易となり、また、容器３内での芳香シート２のガタツキが防止される。
【００１６】
上記の芳香器１によれば、矩形平箱状容器の周壁に形成された発散孔５から芳香剤が発散し、発散孔５には、芳香シート２の外周壁面が対面することから、載置面への芳香剤の移行がほとんどなく、載置面の汚染がない。また、適度の芳香の発散が行われて、芳香シートの全周から芳香が発散する従来の芳香シートのような過剰な芳香の発散がない。
また、芳香器１を乗用車のドアポケットに挿入したり、ＣＤラックに挿入して使用することができ、その場合には、容器周壁の発散孔５から適度の芳香の発散が行われて、載置面への芳香の移行がない。
【００１７】
本考案に係る芳香器１０１は、図６の第２の実施態様に示されるように、芳香シート２と、芳香シート２が抜き差し自在に挿入された矩形平箱状の容器１０３とを具備し、容器１０３の壁面の少なくとも一部には、芳香を発散可能な多数の小孔よりなる発散孔１０５が形成されていることを特徴とする。
【００１８】
上記の発散孔１０５は、容器１３の表又は裏壁の少なくともいずれか一方の面に形成された、芳香を発散可能な多数の小孔の集合よりなる。発散孔１０５を構成する多数の小孔は、ロゴ化若しくはデザイン化された群により形成させることができる。
【００１９】
上記の芳香器１０１によれば、多数の小孔からなる発散孔５から芳香剤が分散して発散し、載置面への芳香剤の移行がほとんどなく、載置面の汚染がない。また、発散孔１０５を構成する多数の小孔をロゴ化若しくはデザイン化された群により形成させることにより、趣味感を向上させることができる。
【考案の効果】
【００２０】
請求項１乃至７のいずれかに記載の本考案の芳香器によれば、矩形平箱状容器の周壁に形成された発散孔から芳香剤を発散させるようにしたので、発散孔には、芳香シートの外周壁面が対面することから、載置面への芳香剤の移行がほとんどなく、載置面の汚染がない。また、適度の芳香の発散が行われて、芳香シートの全周から芳香が発散する従来の芳香シートのような過剰な芳香の発散がない。
また、芳香器を乗用車のドアポケットに挿入したり、乗用車や書斎のＣＤラックに挿入して使用することができ、その場合には、容器周壁の発散孔から適度の芳香の発散が行われて、芳香剤の過剰な発散がなく、載置面への芳香の移行もない。
【００２１】
請求項２又は７に記載の本考案の芳香器によれば、芳香シートをプラスチック板材よりなるトレイを用いて容器内に挿入保持しているので、芳香シートの容器内への挿入保持が容易となり、また、容器内での芳香シートのガタツキが防止される。
容器の表裏壁のトレイが接する壁面に芳香が発散可能な孔を形成している場合には、トレイにより芳香の外部への移行や過剰な芳香の発散が防止される。
【００２２】
請求項７の芳香器によれば、芳香シートをトレイの折り曲げ片の折曲により保持しているので、芳香シートの容器内への挿入保持が一層容易となり、また、容器内での芳香シートのガタツキが確実に防止される。
【００２３】
請求項４の芳香器によれば、芳香シートを中心孔を有するドーナツ円盤形に形成したので、その取り扱いが容易となり、且つ、全体として、芳香器がＣＤやＤＶＤ等の音楽或いは映像デスクと類似の形状となることから、容器の外面に適宜の印刷を施すことにより、乗用車や書斎で用いて、趣味性が向上する。
【００２４】
請求項８に記載の本考案の芳香器によれば、矩形平箱状容器の壁面の少なくとも一部に、芳香を発散可能な多数の小孔よりなる発散孔が形成され、且つ、芳香シートは容器内に抜き差し自在とされ余裕を持った挿入状態であるところから、請求項１乃至７のいずれかに記載の本考案の芳香器と同様に、載置面への芳香剤の移行がほとんどなく、載置面の汚染がない。また、適度の芳香の発散が行われて、芳香シートの全周から芳香が発散する従来の芳香シートのような過剰な芳香の発散がない。
【００２５】
また上記の発散孔を、容器の表又は裏壁の少なくともいずれか一方の面にロゴ化若しくはデザイン化された小孔の群により形成させることにより、乗用車や書斎で用いて、趣味性が向上する。
【図面の簡単な説明】
【００２６】
【図１】本考案の第１の実施形態に係る芳香器の斜視図である。
【図２】同芳香器の分解斜視図である。
【図３】同芳香器の芳香シートとトレイの支持状態を示す分解斜視図である。
【図４】同芳香器の組立状態を示す分解斜視図である。
【図５】同芳香器の容器の展開図である。
【図６】本考案の第２の実施形態に係る芳香器の斜視図である。
【図７】従来の芳香器の斜視図（Ａ）及び縦断面図（Ｂ）である。
【考案を実施するための形態】
【００２７】
（第１実施形態）
図１乃至図５は、本考案の第１実施形態に係る芳香器を示し、これにより本考案の第１実施形態を説明する。
第１実施形態に係る芳香器１は、芳香シート２と、芳香シート２が抜き差し自在に挿入された矩形平箱状の容器３とを具備し、芳香シート２は、プラスチック板材よりなるトレイ４に支持された状態で容器３内に挿入され、容器３の上下左右の周壁１０の少なくとも一部には、芳香を発散可能な発散孔５が形成されている。容器３の表裏壁の少なくとも一部にも、小孔よりなる発散孔を形成させることができる。
【００２８】
上記発散孔５は、上記周壁１０を構成する上下に対向する上下の周壁１０Ａ，１０Ｂの長手方向に沿って、複数個（例えば５個から１０個、図では８個）間隔をおいて連続状に形成された多数の小孔により形成されている。
【００２９】
上記芳香シート２は、ＣＤやＤＶＤなどの音楽や映像のディスクに類似の、中心孔２ａを有するドーナツ円盤形であり、厚紙状の基材に芳香剤を含浸させた形状である。
芳香シートは、上記ドーナツ円盤形の他、容器３の内形に沿った角形、あるいは、多角形状、その他の形状とすることができる。
【００３０】
上記容器３は、図５の展開図に示されるように、シート材の打ち抜きにより形成され、収納部６を構成する底板７の一側縁に蓋部８を構成する上板９が、一側の周壁１０（１０Ｃ）を介して連続して形成され、収納部６の底板７の上下縁には、上下の周壁１０（１０Ａ，１０Ｂ）を介して上下保持片１１，１１が連続して形成され、蓋部８の上板９の他側縁には他側の周壁１０（１０Ｄ）を介して、係止片１２が連続して形成され、上下の周壁１０（１０Ａ，１０Ｂ）には、複数個間隔を置いて連続状に形成された多数の小孔よりなる前記発散孔５が形成されている。収納部６上に蓋部８が一側の周壁１０（１０Ｃ）を介して折り返され、蓋部８は上下の周壁１０（１０Ａ，１０Ｂ）を介して内方に略コ形に折り返された上下保持片１１，１１の上面に重合し、係止片１２の係止部１２ａが収納部６の底板７に形成されたスリット状係止孔１３に係止されることにより、矩形平箱状とされている。
【００３１】
上記容器３は、上記蓋部８を構成する上記上板９の上縁又は下縁に上板９と略同面積の接合板１４が連続して形成され、接合板１４は上板９の底面に折り返して接合される。
このような接合板１４を形成するこにより、接合板１４の折り返し表面に、使用の説明書きなどの印刷を容易に施すことができる。
【００３２】
上記トレイ４は、上記容器３内に嵌合状に挿入される矩形板状をなし、その左右の縁には、内方に上向き略コ形に折り曲げ形成される折り曲げ片１５，１５が一体に形成され、その中央部には、切り起こし状に立ち上げ形成された押さえ片１６が一体に形成され、押さえ片１６は、前記芳香シート２の前記中心孔２ａに挿入されて折り曲げることにより、トレイ４の上面に芳香シート２を保持させるようにしている。押さえ片１６は、左右に二個切り起こし状に立ち上げ形成され、左右の押さえ片１６が対向外方に略コ形に折り曲げられて芳香シート２の前記中心孔２ａに挿入されて係止されている。
【００３３】
図２乃至図４は、第１実施形態の芳香器１の組立手順を示す。
図２に示すように、プラスチック保護袋１７内に封入された芳香シート２と、トレイ４と、容器３を準備する。次に、図３に示すように、芳香シート２を保護袋１７から取り出して、トレイ４にセットする。次に、図４に示すように、芳香シート２をセットしたトレイ４を容器３に挿入し、容器３を閉じる。
【００３４】
上記の芳香器１によれば、矩形平箱状容器の周壁に形成された発散孔５から芳香剤が発散し、発散孔５には、芳香シート２の外周壁面が対面することから、載置面への芳香剤の移行がほとんどなく、載置面の汚染がない。また、適度の芳香の発散が行われて、芳香シートの全周から芳香が発散する従来の芳香シートのような過剰な芳香の発散がない。
また、芳香器１を乗用車のドアポケットに挿入したり、ＣＤラックに挿入して使用することができ、その場合には、容器周壁の発散孔５から適度の芳香の発散が行われて、載置面への芳香の移行がない。
また、上記のようなトレイ４を用いることにより、芳香シート２の容器３内への挿入保持が容易となり、また、容器３内での芳香シート２のガタツキが防止される。
【００３５】
（第２実施形態）
図６は、本考案の第２実施態様を示し、これにより本考案の第２実施態様を説明する。  第２実施形態に係る芳香器１０１は、芳香シート２と、芳香シート２が抜き差し自在に挿入された矩形平箱状の容器１０３とを具備し、容器１０３の壁面の少なくとも一部には、芳香を発散可能な多数の小孔よりなる発散孔１０５が形成されている。
【００３６】
上記の発散孔１０５は、容器１３の表又は裏壁の少なくともいずれか一方の面に形成された、芳香を発散可能な多数の小孔の、ロゴ化若しくはデザイン化された群により形成されている。
【００３７】
上記の芳香器１０１によれば、多数の小孔からなる発散孔５から芳香剤が分散して発散し、載置面への芳香剤の移行がほとんどなく、載置面の汚染がない。
【００３８】
上記第２実施態様において、その他の構成と機能は上記第１実施態様と共通する。
【符号の説明】
【００３９】
１（１０１）    芳香器
２（１０２）    芳香シート、２ａ    中心孔
３（１０３）    容器
４    トレイ
５（１０５）    発散孔
６（１０６）    収納部
７    底板
８    蓋部
９    上板
１０（１０Ａ，１０Ｂ，１０Ｃ，１０Ｄ）    周壁
１１    保持片
１２    係止片、１２ａ    係止部
１３    係止孔
１４    接合板
１５    折り曲げ片
１６    押さえ片
１７    保護袋
【図１】
0003166143.tif 000003
【図２】
0003166143.tif 000004
【図３】
0003166143.tif 000005
【図４】
0003166143.tif 000006
【図５】
0003166143.tif 000007
【図６】
0003166143.tif 000008
【図７】
0003166143.tif 000009
【手続補正書】
【提出日】平成23年1月11日(2011.1.11)
【手続補正１】
【補正対象書類名】図面
【補正対象項目名】図６
【補正方法】変更
【補正の内容】
【図６】
0003166143.tif 000010